(57)【要約】  【課題】組立と調整が容易な回転式図柄可変表示装置を提供する。  【解決手段】駆動モータ１０に連結される駆動円形リング体４に滑止め係合された第２基準点を有する図柄表示部材、それを支持する図柄ベルト支持体を備えている。予め定められた位置に固定された第１基準点と位置検出手段１９、一方の側面に滑止め係合部と同一数の係合溝１７３を有する第２歯車１７を備えている。第２歯車１７の一方の側面に隣接して一体に回転する位置決め機構部１８は、前記第２歯車１７を停止した時に単独で回転可能に設けられ、係合溝１７３に係合される鍔部１７２と、被検出部１８２を備えている。前記位置検出手段１９により前記被検出部１８２が検出された時に、前記第１基準点と第２基準点とが一致するように、前記図柄ベルト支持体、図柄表示部材、被検出部１８２、位置検出手段１９とが設けられている。  【選択図】図４
2005118426.tif 000002
【特許請求の範囲】
【請求項１】
駆動モータに連結され、外周間の円周方向に滑止め係合部を備える駆動円形リング体と、
該駆動円形リング体に対して所定軸心間位置に配置された従動円形リング体と、
予め定められた位置に固定された第１基準点と、
第２基準点を有し無端ベルト状態に形成され、複数種類・複数コマ分の図柄を所要の間隔順序に形成配置する図柄表示部材を滑止め係合する前記駆動円形リング体と前記従動円形リング体とを備えて、前記駆動モータの駆動に基いて回転／停止制御される回転図柄表示体と、
前記駆動モータ軸に嵌合される第１歯車と、
前記第１歯車に噛合い該第１歯車より大きいギア比を有すると共に前記図柄表示部材と同一回転数で回転し、その一方の側面に前記滑止め係合部と同一数の係合溝を備える第２歯車と、
該第２歯車の回転軸と同一軸を備え、当該第２歯車の一方の側面に隣接して一体に回転すると共に、前記第２歯車を停止した時に単独で回転可能に設けられ、前記係合溝に係合される鍔部と、予め定められた位置に固定された位置検出手段により検出される被検出部とが設けられた位置決め機構部とを備え、
前記位置検出手段により前記被検出部が検出された時に、前記第１基準点と第２基準点とが一致するように、被検出部、位置検出手段とが設けられていることを特徴とする回転式図柄可変表示装置。
【請求項２】
前記位置検出手段は、作業者に視認可能に設けられている発光手段を備えることを特徴とする請求項１に記載の回転式図柄可変表示装置。
【請求項３】
前記回転図柄表示体は、前記図柄表示部材が所定の弧状となるように支持する、弧状の図柄ベルト支持体を備え、前記第１基準点は前記図柄ベルト支持体の、前記第２基準点は前記図柄表示部材の、それぞれの側部に設けられると共に、前記第１基準点及び第２基準点は、それぞれ作業者に視認可能に設けられていることを特徴とする請求項１に記載の回転式図柄可変表示装置。
【請求項４】
請求項１に記載の回転式図柄可変表示装置において、前記位置検出手段の出力信号により、前記回転図柄表示体を停止し、前記第１基準点と第２基準点とが一致するように前記駆動円形リング体に図柄表示部材を滑止め係合することを特徴とする回転式図柄可変表示装置の組立方法。
【請求項５】
請求項１に記載の回転式図柄可変表示装置において、前記被検出部を前記位置検出手段により検出した位置で前記回転図柄表示体を停止し、前記第１基準点と第２基準点とが一致した位置に停止されていない時、前記位置決め機構部の鍔部を前記第２歯車に設けられた係合溝から外し、前記位置決め機構部を回転移動して前記第１基準点から第２基準点までの前記滑止め係合部の数だけ係合溝と係合する鍔部の位置をずらして前記鍔部を前記第２歯車に設けられた係合溝に係合することを特徴とする回転式図柄可変表示装置の調整方法。
【発明の詳細な説明】
【技術分野】
【０００１】
本発明は、回転式図柄可変表示装置及びその組立、調整方法に関し、更に詳しくは、パチンコ球やコイン等を利用して、変動制御条件に基いて図柄変動組合わせゲームを展開して、予め設定された図柄同志の組合わせ条件の成立時に遊技者の有利とされる特別遊技状態や、入賞成立状態を呈することのできる回転形式の図柄可変表示装置における図柄表示部材の装着を容易にする検出手段を備えた回転式図柄可変表示装置と、前記図柄表示部材が所定の位置からずれた時、これを容易に検出でき、併せて前記図柄表示部材を所定位置に装着できる回転式図柄可変表示装置及びその組立、調整方法に関するものである。
【背景技術】
【０００２】
図柄組合わせ式遊技機の代表例として従来から知られている第１種（フィーバタイプ）のパチンコ機やスロットマシンにおいては、図柄変動組合わせゲームを展開して特別遊技状態や入賞成立状態に係る図柄を組合わせ成立表示することのできる図柄手段として、一般に回転表示形態の図柄可変表示装置が採用されている。この装置ではその基本的な形態としては、モータ（ステッピングモータまたはパルスモータ）および駆動制御回路等を含む回転駆動制御手段と、ベルト形態またはドラム形態の回転図柄表示体と、各図柄の停止表示用位置決め基準とされる位置決め検出手段を含めて、１基毎の図柄表示ユニットに構成される。そしてこの図柄表示ユニットが、例えば１つの箱枠体内に複数基（通常では左列、中列、右列の３基）を組単位にして、縦列セットされて１つのユニット化表示装置とされている。
【０００３】
前記図柄可変表示装置は、毎回の図柄組合わせゲームに係る基本的な図柄変動制御態様として、（ａ）前記パチンコ機では、遊技領域内に打出された遊技球の入賞検出時に基く始動条件と、電気的制御回路装置側から適時自動的に発信される停止信号または遊技者のストップ操作時に基いて発信される停止信号の何れかに基く停止条件において、各図柄表示ユニット毎におけるモータと共に回転図柄表示体が、設定条件に基いて順次変動開始されて適時停止される。また（ｂ）前記スロットマシンでは、コイン投入後の遊技者のスタート操作時に基く始動条件と、電気的制御回路装置側から適時自動的に発信される停止信号または遊技者のストップ操作時に発信される停止信号の何れかに基く停止条件において、各図柄表示ユニット毎におけるモータと共に回転図柄表示体（図柄ドラムまたは図柄ベルト）が、設定条件に基いて順次回転開始されて適時停止される。そして図柄組合わせライン（入賞ライン）上に停止表示された各列の図柄同志の出揃い結果において、個々の位置決め検出手段による図柄検出判別情報に基いて予め設定された組合わせ図柄（当り図柄）との対比検出判定に従って、「当りまたは外れ」が判定制御される。そうして当り図柄の組合わせ成立時に、前述した特別遊技状態または入賞成立状態に係る権利が発生されるように構成されている。
【０００４】
前記回転図柄表示体については、リング体の外周裏面に図柄を直接印刷した図柄ドラムやシート状の図柄表示帯を周回装着した図柄ドラムまたは無端状母材の外周面にシート状の図柄表示体を装着した図柄ベルトのタイプがある。またこれらの回転図柄表示体における図柄については、一般に色彩区分された視認識別容易な数字、アルファベット文字、その他の絵や図形等を含む複数種類のマークが識別用情報として採用され、これらが当り用、外れ用に適宜区分設定されたもとで、所要とする複数コマ分において適宜順序で配置されている。何れのタイプの回転図柄表示体にあっても、前述した位置決め検出手段については、全図柄の内から基準位置として予め設定された１つの所定位置の図柄に対して、光学的センサにより読取られる１つのインデックスが設置されている。
【０００５】
そして、この従来の回転式図柄可変表示装置において、前述した１基の位置決め検出手段を基準設定した回転図柄表示体の一般的な変動制御状態は、以下のようである。基準位置の図柄からみて全ての図柄に対して図番記録情報としてのカウンタ値「０,・・・Ｎ」が設定されている。各列の回転図柄表示体の１回転毎に位置決め検出手段が基準図柄を検出した時点のカウンタ値「０」を基準にして、停止すべき対象の図柄位置に係るカウンタ値分に応答するパルス数を出力制御して、モータと共に回転図柄表示体を停止し、所定の図柄をライン上に停止表示させるようにした制御表示内容とされている。
【０００６】
しかしこのような回転式図柄可変表示装置の図柄変動停止制御態様では、各列の回転図柄表示体の１回転毎において停止される図柄が直接検出停止される訳ではなく、あくまでもパルスカウント設定制御による見込み（見做し）条件で停止されることになっている。このため回転図柄表示体の回転速度（周速度）や慣性力、あるいは滑りや伸び等に起因して全ての図柄の正確な検出停止が難しい状況にある。特に、無端状母材の外周面にシート状の図柄表示体を装着した図柄ベルトでは、該図柄ベルトが回転図柄表示体から外れたり、滑ったり、伸縮したりして、回転図柄表示体の１回転毎において位置決め検出手段で実際に検出された基準図柄位置と異なってしまう場合がある。
【０００７】
そこで近年においては、全ての図柄に個々の判別情報を設定した検出判別情報媒体（地番記録）を付し、これを利用して各々の図柄を直接的に検出して停止制御し得るようにする技術として、特許文献１に開示されるような「ゲーム機用無端フィルムベルトの絵柄検出方式」に係る発明が出願されている。
【０００８】
また、回転式図柄可変表示装置に使用可能とされる回転図柄表示体であって、駆動モータのパルス出力駆動に基いて回転停止制御される回転体と、この回転体の外周に装着されて所定検出部位に設置された適宜光学的な検出判読手段で検出されるコード付きの図柄表示部材とを有する特許文献２に開示されるような「回転式図柄可変表示装置用の情報コード化式回転図柄表示体」に係る発明が出願されている。かかる発明は、前記コード付きの図柄表示部材に複種類複数コマ分の図柄を所要の間隔順序に形成配置する一方、各種の図柄に係る情報内容毎に合わせて識別コード化区分されて前記検出判読手段により検出判読される情報コードを形成して全ての図柄の１コマ分ずつに対応する所要部位に配置してある。前記図柄表示部材の移動中において、前記検出判読手段により各位置毎の情報コードが検出された後に、前記駆動モータと共に回転体が停止されて、検出された情報コードに対応する図柄を停止表示する。
【０００９】
しかし、前記特許文献１に示す「ゲーム機用無端フィルムベルトの絵柄検出方式」では、全ての図柄に個々の判別情報を設定した検出判別情報媒体（地番記録）を付してある。又、前記特許文献２に示す「回転式図柄可変表示装置用の情報コード化式回転図柄表示体」では、図柄表示部材に形成される多種複数の全ての図柄に係る必要な記録情報内容を有する情報コードは、視認容易に識別区分することができるものの、コード付きの図柄表示部材により位置決めを行う。そのため、何れも図柄表示部材に情報を付加せねばならず、図柄表示部材が高価になる欠点がある。また、前記付加された情報が摩耗や汚れにより判別性能の低下を招き易い欠点がある。
【００１０】
そこで、図柄表示部材に図柄に係る必要な記録情報内容を記録せず、回転図柄表示体の位置を検出する手段を用いた特許文献３に開示されるような「図柄可変表示装置」に係る発明が出願されている。該特許文献３に開示されるような図柄可変表示装置は、前述したような、無端状母材の外周面にシート状の図柄表示体を装着した図柄ベルトを用いたものであって、該図柄ベルトが回転図柄表示体から外れないように、前記図柄ベルトの幅方向耳部に設けられた凹凸嵌合される被係合部が形成されている。更に、回転図柄表示体の位置を直接検出せず、モータ軸に直結された歯車に噛み合う回転図柄表示体の回転位置検出用歯車を設け、該回転位置検出用歯車の１回転が図柄ベルトの全長と同一比に設定されている。位置検出器が回転位置検出用歯車の１回転毎に被検出部を検出することにより、図柄ベルトに対するモータの原点位置検出を行う構成である。
【００１１】
前記特許文献３に開示されるような図柄可変表示装置は、図９に示すような構成である。図９において、図柄可変表示装置３０１は、前後開放状の箱形に形成された装置本体３０２の内部にベルト式図柄表示機構３０３を備えると共に、該ベルト式図柄表示機構３０３は駆動プーリ３０４を備える。前記駆動プーリ３０４は、その中心部より外側に放射状に突出した複数本のアーム３０５の先端に帯環状のリム３０６を中心部と同心円状に連結し、中心部とアーム３０５及びリム３０６で囲まれた部分が中抜きされた軽量化形態である。リム３０６の外周面には複数の突起のような係合部３０７が円周方向に列状に形成される。駆動プーリ３０４は装置本体３０２の内部に自由回転可能に支持された従動プーリ３０８よりも大径である。駆動プーリ３０４の前側部は従動プーリ３０８の前側部より前側に突出する。
【００１２】
そして、駆動プーリ３０４及び従動プーリ３０８には可撓性を有する合成樹脂よりなる無端状の図柄ベルト３０９が巻き掛けられる。駆動プーリ３０４の中心部にはステッピングモータのようなモータ３１０のモータ軸３１１が一体的に回転し得るように固定される。モータ３１０のケーシングは駆動プーリ３０４の内部に非接触に配置されると共に装置本体３０２に支持基板３１２で回転しないように取付けられる。そして、モータ軸３１１が電気的に駆動することにより、駆動プーリ３０４が一方向に回転し、駆動プーリ３０４の回転力が駆動プーリ３０４の係合部３０７から図柄ベルト３０９に伝達され、図柄ベルト３０９が駆動プーリ３０４と同方向に回転し、図柄ベルト３０９に描かれた異なる複数の図柄が上方より下方に可変表示される。
【００１３】
モータ３１０と支持基板３１２とにはモータ３１０の位置検出機構３１５が設けられる。位置検出機構３１５は、図柄ベルト３０９に位置検出による負担をかけることがないように、モータ軸３１１に同軸状に大径な第１歯車３１６と、第１歯車３１６に噛み合うように支持基板３１２に回転可能に設けられた第２歯車３１７と、第２歯車３１７に設けられた被検出部３１８と、被検出部３１８を電気的に検出するように支持基板３１２に設けられた位置検出器３１９とを備える。第１歯車３１６と第２歯車３１７とのギア比が大径な駆動プーリ３０４の周長と図柄ベルト３０９の全長との比に設定される。前記構成によって図柄ベルト３０９が１周する間にモータはＮ回転する。これによって、図柄ベルト３０９の１周と第２歯車３１７の１周とが同期するように設定でき、位置検出器３１９が第２歯車３１７の１回転毎に被検出部３１８を検出することにより、図柄ベルト３０９に対するモータ３１０の原点位置検出が可能になる構成になっている。
【００１４】
同一形態に形成された複数のベルト式図柄表示機構３０３が装置本体３０２の内部に並列配置される。モータ３１０や位置検出機構３１５等の内部機構を装置本体３０２に組付けるための支持基板３１２は装置本体３０２の縦壁を構成する。係合部３０７は駆動プーリ３０４の幅方向耳部に配置され、係合部３０７に凹凸嵌合される被係合部は図柄ベルト３０９の幅方向耳部に設けられた孔により形成される。
【００１５】
【特許文献１】特開平３−２４７３６９号公報
【特許文献２】特開平６−２４６０３３号公報
【特許文献３】特開２００１−２９３１２８号公報
【発明の開示】
【発明が解決しようとする課題】
【００１６】
特許文献３に開示されるような「図柄可変表示装置」に係る発明は、図柄表示部材に図柄に係る必要な記録情報内容を記録しないために、前記付加された情報が摩耗や汚れにより判別性能の低下を招くという問題点は解決される。しかし、図９に示したように、モータ軸３１１に同軸状に大径な第１歯車３１６と、第１歯車３１６に噛み合うように支持基板３１２に回転可能に設けられた第２歯車３１７と、第２歯車３１７に設けられた被検出部３１８と、被検出部３１８を電気的に検出するように支持基板３１２に設けられた位置検出器３１９とを備える。そして、第１歯車３１６と第２歯車３１７とのギア比が大径な駆動プーリ３０４の周長と図柄ベルト３０９の全長との比に設定される。これによって、図柄ベルト３０９の１周と第２歯車３１７の１周とが同期するように設定でき、位置検出器３１９が第２歯車３１７の１回転毎に被検出部３１８を検出することにより、図柄ベルト３０９に対するモータ３１０の原点位置検出が可能となる構成となっている。
【００１７】
前記構成によって、図柄ベルト３０９が１周する間に、モータはＮ回転する。このために、以下のような問題点がある。即ち、係合部３０７は駆動プーリ３０４の幅方向耳部に配置され、係合部３０７に凹凸嵌合される被係合部は図柄ベルト３０９の幅方向耳部に設けられた孔により形成されているものの、長期の使用によって図柄ベルト３０９が係合部３０７から外れたりして、歯飛びが生じて図柄ベルト３０９の一回転毎において位置検出器３１９で実際に検出された基準図柄位置と異なってしまう場合がある。また、図柄可変表示装置の組立時に、位置検出器３１９が第２歯車３１７の１回転毎に被検出部３１８を検出することにより、図柄ベルト３０９に対するモータ３１０の原点位置検出を行いモータ３１０を所定の原点位置に停止しても、駆動プーリ３０４のどの位置に図柄ベルト３０９を巻き掛けてよいかが分らない。
【００１８】
このために、図柄ベルト３０９の基準位置を図柄視認領域３２１に設けられた基準位置に合わせる作業が必要になるが、前記図柄視認領域３２１は、前枠に取り付けられたパネル３２０に形成されている。そのため図柄可変表示装置の組立時には、当該パネル３２０は取りつけられていない場合があり、このような場合には図柄ベルト３０９の基準位置を図柄視認領域３２１に設けられた基準位置に合わせる作業ができないという不具合が生じる。
【００１９】
図柄ベルト３０９の基準位置を前記図柄視認領域３２１以外の筐体に設けてもよいが、かかる場合には図柄視認領域３２１以外の筐体に設けた基準位置が変動する可能性がある。更に、別途指針となる部材を設けるなど、部品点数が増加すると共に、該指針となる部材を筐体内に設けるために、それが邪魔になったり、破損したりする場合もあり製品の信頼性を低下する。
【００２０】
更に、第２歯車３１７と第１歯車３１６とのギア比Ｍ／Ｎが整数比でない場合には、大径な駆動プーリ３０４の周長と図柄ベルト３０９の全長との比に設定すると共に図柄ベルト３０９の１周と第２歯車３１７の１周とが同期するように設定して、位置検出器３１９が第２歯車３１７の１回転毎に被検出部３１８を検出しても、図柄ベルト３０９に対するモータ３１０の原点位置検出が出来ない場合がある。即ち、第２歯車３１７と第１歯車３１６とのギア比Ｎ／Ｍが整数比でない場合には、位置検出器３１９が第２歯車３１７の１回転毎に被検出部３１８を検出しても第１歯車３１６は、Ｍ／Ｎ回転して、図柄ベルト３０９に対するモータ３１０は原点位置に回転していない。かかる場合には位置検出器３１９により被検出部３１８をＮ回、検出して始めて図柄ベルト３０９に対するモータ３１０の原点位置検出が出来る。そのために、位置検出器３１９により被検出部３１８をＮ回、検出して図柄ベルト３０９に対するモータ３１０を原点位置に回転して、駆動プーリ３０４に係合されている図柄ベルト３０９を外して駆動プーリ３０４の基準位置に巻き掛けることが必要になる。本発明は、上記の課題に鑑みてなされたもので、組立と調整が容易な回転式図柄可変表示装置を提供することを目的とする。
【課題を解決するための手段】
【００２１】
本発明は、組立と調整が容易な回転式図柄可変表示装置を提供するために、駆動モータ側に連結され、外周間の円周方向に滑止め係合部を備える駆動円形リング体と該駆動円形リング体に対して所定軸心間位置に配置された従動円形リング体とを備えている。また、無端ベルト状態に形成され複数種類複数コマ分の図柄を所要の間隔順序に形成配置した図柄表示部材が、少なくとも駆動円形リング体に滑止め係合する前記駆動円形リング体と前記従動円形リング体とを備えて、駆動モータの駆動に基いて回転／停止制御される回転図柄表示体を備えている。
【００２２】
前記駆動モータ軸に嵌合される第１歯車と、前記第１歯車に噛合い該第１歯車より大きいギア比を有すると共に前記図柄表示部材と同一回転数で回転する第２歯車を備えている。該第２歯車は、その一方の側面に前記滑止め係合部と同一数の係合溝を備えている。前記第２歯車の回転軸と同一軸を備え、当該第２歯車の一方の側面に隣接して一体に回転すると共に、前記第２歯車を停止した時に単独で回転可能に設けられ、前記係合溝に係合される鍔部と、予め定められた位置に固定された位置検出手段により検出される被検出部とが設けられた位置決め機構部とを備えている。また、前記被検出部、位置検出手段は、前記位置検出手段により前記鍔部が検出された時に、前記第１基準点と第２基準点とが一致するように構成されている。
【００２３】
前記位置検出手段は、作業者に視認可能に設けられている発光手段を備えている。前記回転図柄表示体を前記位置検出手段の出力信号により停止する、表示体制御手段を備えている。前記回転図柄表示体は、前記図柄表示部材が所定の弧状となるように図柄表示部材の裏側から支持する、弧状の図柄ベルト支持体を備えている。前記第１基準点は前記図柄ベルト支持体の、前記第２基準点は前記図柄表示部材の、それぞれの側部に設けられると共に、前記第１基準点及び第２基準点は、それぞれ作業者に視認可能に設けられていて、目視による回転式図柄可変表示装置の組立、調整ができるように構成されている。
【００２４】
第１の歯車は駆動モータ軸に嵌合されていると共に駆動円形リング体に連結され、第２の歯車は、第１の歯車に噛合され図柄表示部材と同一回転数で回転している。前記第１基準点は、前記図柄ベルト支持体の、前記第２基準点は、前記図柄表示部材の、それぞれの側部に作業者に視認可能に設けられるので、第１基準点と第２基準点とが一致した位置にあるか、あるいは、ずれた位置にあるかが容易に視認できる。第２歯車の一方の側面に隣接して当該第２歯車と一体に回転する位置決め機構部に設けられた被検出部を、位置検出手段により検出する。また、前記位置決め機構部は、前記係合溝と係合する鍔部を有する。前記位置検出手段は、装置本体の予め定められた位置に固定されており、前記被検出部を電気的に検出し、該検出位置で駆動モータを停止することで、図柄表示部材が予め定められた所定位置に一致しているかを確認することができる。
【００２５】
以上のように、第１基準点と位置検出手段は装置本体の予め定められた位置に固定されている。一方、第２基準点と被検出部は同一の回転数で回転していて、第２基準点は、駆動円形リング体の回転により長期の使用によって歯飛びが生じて第１基準点に対してずれが生じる場合がある。一方、被検出部は、第２歯車に固定されており位置検出手段との間でずれは生じない。したがって、被検出部を位置検出手段に対して第１基準点と、第２基準点とのずれ分だけ移動することで前記第２基準点のずれ、即ち、図柄表示部材のずれを補正できる。このように、装置本体の予め定められた位置に固定された第１基準点と、図柄表示部材に設けられた第２基準点とのずれを、図柄表示部材と同一回転数で回転する第２歯車の側部に隣接して当該第２歯車と一体に回転する被検出部と、装置本体の予め定められた位置に固定され位置検出手段とにより検出し、前記被検出部を第１基準点と第２基準点とのずれ分だけ移動することにより、回転図柄表示体のずれを補正する。前記位置検出手段は、作業者に視認可能に設けられている発光手段を備えている。発光手段が発光しているかを視認することにより、第２歯車に固定されている位置検出手段と鍔部とが一致したことを確認でき、かかる位置で、第１基準点と、第２基準点とのずれ分を確認できる。
【００２６】
また、前記図柄表示部材を所定位置に装着できる組立方法は、位置検出手段の出力信号により、回転図柄表示体を停止し、第１基準点と第２基準点とが一致した位置になるように駆動円形リング体に図柄表示部材を滑止め係合して組み立てる。
【００２７】
前記図柄表示部材が所定の位置からずれた時、これを容易に検出でき、併せて図柄表示部材を駆動円形リング体から外して移動しなくてもずれを調整できる図柄表示部材の調整方法では、被検出部を位置検出手段により検出した位置で回転図柄表示体を停止し、第１基準点と第２基準点とが一致した位置に停止されていない時、位置決め機構部の鍔部を第２歯車に設けられた係合溝から外し、前記位置決め機構部を回転移動して前記第１基準点から第２基準点までの滑止め係合部の数だけ係合溝と係合する鍔部の位置をずらして前記鍔部を前記第２歯車に設けられた係合溝に係合する。
【発明の効果】
【００２８】
本発明の回転式図柄可変表示装置は、以上の構成により、図柄表示部材が所定の位置に係合されているかを容易に確認でき、回転図柄表示体の組立が容易にできる。また、長期の使用により図柄表示部材が所定の位置からずれた場合でも、これを容易に検出でき、併せて図柄表示部材を駆動円形リング体から外して移動しなくてもずれを調整できる。特に、第２歯車と第１歯車とのギア比Ｎ／Ｍが整数倍でない場合に、その効果が大きい。即ち、第２歯車と第１歯車とのギア比Ｎ／Ｍが整数倍でない場合には、被検出部と位置検出手段及び第１基準点と第２基準点とが一致するのは第２歯車と第１歯車とが、それぞれＮ回転、Ｍ回転したときである。したがって、被検出部の出力のみを監視し、第２歯車がＮ回転した時に回転図柄表示体を停止し、その時の第１基準点と第２基準点とのずれをみていれば、常に図柄表示部材が予め定められた位置からずれているかを知ることができる。
【００２９】
また、本発明によれば、位置検出手段は、作業者に視認可能に設けられている発光手段を備えることにより、被検出部と位置検出手段とが一致したことを目視で視認でき、容易に第１基準点と図柄表示部材との所定位置（第２基準点）のずれを確認できる。
【００３０】
位置検出手段の出力信号で回転図柄表示体を停止する表示体制御手段を備えることにより、該表示体制御手段から信号を得て、複数の回転図柄表示体の停止図柄位置を決定する基準位置制御手段により複数の回転図柄表示体の停止図柄位置を決定する基準となる位置をそれぞれ得、遊技機の制御回路の簡略化が図れる。
【００３１】
回転図柄表示体は、図柄表示部材が所定の弧状となるように支持する、弧状の図柄ベルト支持体を備え、第１基準点は前記図柄ベルト支持体の、第２基準点は前記図柄表示部材の、それぞれの側部に設けられると共に、前記第１基準点及び第２基準点は、それぞれ作業者に視認可能に設けられていることにより、回転式図柄可変表示装置の組立と調整が容易になる。
【００３２】
上記の回転式図柄可変表示装置において、位置検出手段の出力信号により、回転図柄表示体を停止し、第１基準点と第２基準点とが一致するように前記駆動円形リング体に図柄表示部材を滑止め係合する組立方法により、回転式図柄可変表示装置の組立方法が容易になる。
【００３３】
上記の回転式図柄可変表示装置において、被検出部を位置検出手段により検出した位置で回転図柄表示体を停止し、第１基準点と第２基準点とが一致した位置に停止されていない時に、前記位置決め機構部に設けられた鍔部を、第２歯車に設けられた係合溝から外して位置決め機構部が回転できるようにする。第１基準点から第２基準点が移動した方向に位置決め機構部を回転移動し、第１基準点から第２基準点までの滑止め係合部の数だけ係合溝と係合する鍔部の位置をずらしてから位置決め機構部を第２歯車に設けられた係合溝に係合する回転式図柄可変表示装置の調整方法により、目視による検出、電気的な手段による検出、あるいはその併合された検出方法を用いることで、回転式図柄可変表示装置の調整が容易になる。
【発明を実施するための最良の形態】
【００３４】
以下、本発明の実施形態について図面により説明する。図１に示すように、回転式図柄可変表示装置１（図２参照。）が用いられるスロットマシン５０とは、パチンコ機の外枠の厚さに形成された前記回転式図柄可変表示装置１を用い、遊技球を使用して遊技を行う、スロットマシンの遊技形態を有する機器である。外枠５１、該外枠５１に片開き自在に取り付けられた前枠５２、前枠５２に取り付けられたパネル２０、パネル２０に形成された図柄視認領域２１の裏側に配置された回転式図柄可変表示装置１に相当する３個の図柄表示機構５６、パネル２０よりも下側に設けられた上皿装置５７、上皿装置５７よりも下側に配置された下皿装置７０を有する。前記パネル２０の形状は、図１に示すように平面であってもよく、あるいは、図３に示したように凸状であってもよい。いずれの場合でも、弧状の図柄ベルト支持体４０（図３参照。）を設け、遊技者がパネル２０の外から当該回転式図柄可変表示装置１を見た時に、１つの大型のドラムに設けられた図柄ベルト９（図２、図３参照。）が回転しているように見せることが好ましい。
【００３５】
パネルの図柄視認領域２１には複数の当りライン５５が表示される。上皿装置５７には、レバー式の遊技開始スイッチ装置５８、複数の図柄停止スイッチ装置５９、残球数表示部６０、球投入スイッチ装置６１、球抜スイッチ装置６２、球貸スイッチ装置６３、カード返却スイッチ装置６４、カード残高度数表示部６５、球投入口６６、上皿球受入口６７、ダミー釦６８が設けられる。下皿装置７０には、灰皿７１、下皿球受入口７２、球抜レバー７３が設けられる。図柄停止スイッチ装置５９は図柄表示機構５６の３列の図柄９ａ（図２参照。）とそれぞれ対応している。図２に示すように、同一形態に形成された複数の回転式図柄可変表示装置１が装置本体２の内部に並列配置される。モータ１０や位置検出機構等の内部機構を装置本体２に組付けるための支持基板１２は、装置本体２の縦壁を構成する。前面開放状の箱形に形成された装置本体２の内部にステッピングモータのような駆動モータ１０の駆動に基いて回転／停止制御される回転図柄表示体３（図３参照。）を備えると共に、該回転図柄表示体３は、駆動プーリ４（駆動円形リング体）と従動プーリ８（従動円形リング体）とを備える。前記駆動プーリ４は、装置本体２の内部に自由回転可能に支持された前記従動プーリ８と略同一の径を有していてもよく、あるいは異なっていてもよい。係合部７は、駆動プーリ４の幅方向耳部に配置され、該係合部７に嵌合される被係合部は、図柄ベルト９の幅方向耳部裏側に設けられた凹部９ｂにより形成される。
【００３６】
駆動プーリ４の前側部と従動プーリ８の前側部とは、装置本体２の前面に対して縦方向に配置されている。また、前記駆動プーリ４と従動プーリ８との間は所定軸心間位置に配置されている。前記駆動プーリ４と従動プーリ８との間には、図柄ベルト９（図柄表示部材）が所定の弧状となるように支持する、弧状の図柄ベルト支持体４０が設けられている。該図柄ベルト支持体４０は、パネル２０側に凸状であって、図柄ベルト９を裏側から支持し、遊技者がパネル２０の外から当該回転式図柄可変表示装置を見た時に、１つの大型のドラムに設けられた図柄ベルト９が回転しているように見せるための支持体４０である。パネル２０側に凸の曲率は、前記大型のドラムの曲率となるように形成されている。
【００３７】
駆動プーリ４及び従動プーリ８には、可撓性を有する合成樹脂等よりなる無端状の図柄ベルト９が巻き掛けられる。無端状の図柄ベルト９には、複数種類・複数コマ分の図柄を所要の間隔順序に形成配置してある。前記係合部７と被係合部９ｂ（図３参照。）により駆動プーリ４及び従動プーリ８に滑止め係合されている。前記図柄ベルト支持体４０及び図柄ベルト９には、それぞれ予め定められた第１基準点Ｒ１（図３参照。）と第２基準点Ｒ２（図３参照。）とが定められている。前記第１基準点Ｒ１は、前記図柄ベルト支持体４０の側部に設けられ、第２基準点Ｒ２は、前記図柄ベルト９の耳部の側部に、例えば塗装などによって、それぞれ作業者に視認可能に設けられている。図２、図４に示すように、予め定められた位置に固定された位置検出手段１９により、被検出部１８２の位置を電気的に検出した時に、前記第１基準点Ｒ１と第２基準点Ｒ２とが一致するように係合部７と被係合部９ｂにより滑止め係合されている。そして、駆動プーリ４の中心部にはモータ１０のモータ軸１１が一体的に回転し得るように固定され、モータ軸１１が電気的に駆動されることにより、駆動プーリ４が一方向に回転し、駆動プーリ４の回転力が駆動プーリ４の係合部７から図柄ベルト９に伝達される。図柄ベルト９が駆動プーリ４と同方向に回転し、図柄ベルト９に描かれた異なる複数の図柄が上方より下方にパネル２０を介して可変表示される。
【００３８】
以下、図３、図４、図５により駆動プーリ４の構造を説明する。図４に示すように、モータ１０のケーシング１２１は、駆動プーリ４の内部に非接触に配置されると共に、図２に示した装置本体２の支持基板１２に回転しないように取付けられる。図４に示すように、前記駆動プーリ４は、その中心部より外側に放射状に突出した複数本のアーム５の先端に帯環状のリム６をアーム５の中心部に対して同心円状に連結し、アーム５及びリム６で囲まれた部分が中抜きされた軽量化形態である。リム６の外周面には複数（図４では１１個）の突起のような係合部７が駆動プーリ４の幅方向耳部に配置され、円周方向に列状に形成されている。前記係合部７に滑止め係合される図柄ベルト９の被係合部９ｂは、図柄ベルト９の幅方向耳部に設けられ、図柄ベルト９を貫通していてもよく、あるいは、前記係合部７と係合するだけの凹部を図柄ベルト９の裏に形成するようにしてもよい。
【００３９】
駆動モータ軸１１には、第１歯車１６が嵌合され、該第１歯車１６に第２歯車１７が噛み合わされている。該第２歯車１７は、支持基板１２に設けられた回転軸１７２（図４参照。）に回転可能に固定されている。位置決め機構部１８は、第２歯車１７の一方の側面に第２歯車１７と共に回転軸１７２に、ネジ２１０により固定されていて、該ネジ２１０を弛めることによって、前記第２歯車１７と分離して回転する。以下、位置決め機構部１８に形成された被検出部１８２と、該被検出部１８２を電気的に検出する位置検出手段１９とを位置検出機構と称する。該位置検出機構は、第２歯車１７と一体に回転する前記位置決め機構部１８の被検出部１８２を検出し、その位置に対応した信号を出力するものである。位置検出手段１９は、例えば装置本体２に固定され、位置決め機構部１８が第２歯車１７と一体に回転されると、被検出部１８２が位置検出手段１９によって検出されるように構成されている。位置検出手段１９は、その出力に作業者に視認可能に、例えば支持基板１２に設けられた可視光を発する発光ダイオード２０２が接続されている。
【００４０】
図７に示すように、前記第２歯車１７は複数個の歯１７１を有し、前記第１歯車１６より大きいギア比を有している。該ギア比は、第２歯車１７が前記図柄表示部材と同一回転数で回転するように定められている。前記第２歯車１７の位置決め機構部１８が設けられる側面には、図柄表示部材９に形成された滑止め係合部９ｂと同一数の係合溝１７３が、回転軸１７２に嵌入される貫通孔１７２から放射状に形成されている。係合溝１７３の幅、深さは、後述する位置決め機構部１８に形成された鍔部１８４が係合できる幅、深さである。
【００４１】
図８に示すように、位置決め機構部１８は、前記係合溝１７３の外周と略同じか、それよりも小さい直径を有する円形の薄板で形成され、中心には回転軸１７２が挿入される貫通孔１８５があけられている。位置決め機構部１８の前記係合溝１７３が形成されている位置に係合するように、切り欠き１８３の一部を略直角に折り曲げた鍔部１８４が設けられている。該鍔部１８４は、前記係合溝１７３に係合する幅と長さを有している。また、位置決め機構部１８の外周の一部には切り欠き１８０が設けられ、該切り欠き１８０の一部を略直角に折り曲げた、つまみ部１８１が設けられている。該つまみ部１８１は、回転軸１７２と嵌合するネジ２１０を弛め、当該位置決め機構部１８の鍔部１８４を第２歯車１７の係合溝１７３から外し、位置決め機構部１８を回転軸１７２の周りで回転するためにつまむ突起である。更に、位置決め機構部１８の外周には被検出部１８２が設けられている。該被検出部１８２は、貫通孔１８５と鍔部１８４とのそれぞれの中心を結ぶ直線上に形成されている。なお、図８では、被検出部１８２は位置決め機構部１８と平行に設けられているが、位置検出手段１９の取り付け位置、構造によって、これ以外、例えば、位置決め機構部１８に垂直に立設していてもよい。
【００４２】
前記第２歯車１７に形成された係合溝１７３と位置決め機構部１８に設けられた鍔部１８４とが対向するように備えられ、両者が係合する。前記位置決め機構部１８、該位置決め機構部１８が回転軸１７２にネジ２１０により固定された時に当該第２歯車１７と共に回転軸１７２に固定される。位置検出手段１９は、例えば、発光ダイオードから出射される光をホトトランジスタで受光するホトカプラなどで構成されていて、被検出部１８２を電気的に検出するように装置本体２の予め定められた位置に固定されている。被検出部１８２が回転して前記位置検出手段１９の発光ダイオードから出射される光を遮るように構成されている。
【００４３】
前記第１歯車１６と第２歯車１７とのギア比は、駆動プーリ４の周長と図柄ベルト９の全長との比Ｍ／Ｎに設定され、図柄ベルト９と第２歯車１７との回転比は、１に設定されている。前記構成によって図柄ベルト９がＮ周する間にモータ１０はＭ回転する（Ｎ、Ｍは整数）。これによって、図柄ベルト９のＮ周と第２歯車１７のＮ周とが同期するように設定でき、位置検出手段１９により被検出部１８２が検出された時、第１基準点Ｒ１と第２基準点Ｒ２とが一致しており、図柄ベルト支持体４０に対する図柄ベルト９の基準位置の検出が可能となる構成になっている。前記第１歯車１６と第２歯車１７とのギア比Ｍ／Ｎは、筐体の大きさや、図柄ベルト９の長さ、モータ１０の回転数など関係から整数値にならない場合が多い。かかる場合においても、第１歯車１６と第２歯車１７とが、それぞれＭ回転、Ｎ回転した時に位置検出手段１９により被検出部１８２が検出され、この時、第１基準点Ｒ１と第２基準点Ｒ２とが一致しており、図柄ベルト支持体４０の基準位置（第１基準点Ｒ１）に対する図柄ベルト９の基準位置（第２基準点Ｒ２）の検出が可能となる構成になっている。
【００４４】
以下、回転式図柄可変表示装置１の図柄表示部材の組立方法について説明する。なお、発明の主旨以外の部分については説明を省略する。回転式図柄可変表示装置１は、前記図３乃至図８の構成とする。即ち、回転式図柄可変表示装置１は、駆動モータ１０に連結される駆動プーリ４と、該駆動プーリ４に対して所定軸心間位置に配置された従動プーリ８と、駆動プーリ４と従動プーリ８との外周間の円周方向に滑止め係合され、第２基準点Ｒ２を有する無端ベルト状態に形成され複数種類・複数コマ分の図柄を所要の間隔順序に形成配置した図柄表示部材９とを備えて前記駆動モータ１０の駆動に基いて回転／停止制御される回転図柄表示体３とを備えている。
【００４５】
駆動モータ軸１１に嵌合される第１歯車１６と、該第１歯車１６に噛み合わされ、該第１歯車１６より大きいギア比を有すると共に図柄表示部材９と同一回転数で回転する第２歯車１７とを備えている。図３に示すように第１基準点Ｒ１は、図柄ベルト支持体４０の側部に設けられ、第２基準点Ｒ２は、図柄ベルト９の耳部の側部に、例えば塗装などによって、それぞれ作業者に視認可能に設けられている。前記第１基準点Ｒ１及び第２基準点Ｒ２は、前記被検出部１８２が位置検出手段１９により検出された位置で駆動モータ１０、即ち駆動プーリ４を停止した時に、第１基準点Ｒ１及び第２基準点Ｒ２が視認しやすい位置に定めて置くのが好ましい。例えば、駆動プーリ４を停止した時に第２基準点Ｒ２が図柄ベルト支持体４０の略中心の位置、即ち図柄ベルト支持体４０の基準位置（第１基準点Ｒ１）にあるように第２基準点Ｒ２と図柄ベルト支持体４０とを決定しておく。
【００４６】
かかる構成において、前記位置検出手段１９により被検出部１８２が検出された時に、前記第１基準点Ｒ１と第２基準点Ｒ２とが一致するように、第１歯車１６、第２歯車１７、駆動プーリ４、図柄表示部材９とを以下のようにして組み立てる。なお図柄表示部材９以外は、前記構成のように、すでに組立られているものとする。
【００４７】
前記構成において目視により図柄表示部材を組み立てる方法について説明する。図柄表示部材９の基準位置（第２基準点Ｒ２）を以下のようにして決定し、駆動プーリ４と従動プーリ８とに図柄表示部材９を滑止め係合する。まず、駆動モータ１０を停止し、手動によって駆動プーリ４、即ち回転図柄表示体３を回転する。第２歯車１７と共に回転する位置決め機構部１８の前記被検出部１８２が位置検出手段１９により検出されると、位置検出手段１９の出力に接続された発光ダイオード２０２が発光し、作業者に視認される。かかる位置で回転図柄表示体３を停止し、この状態で図柄ベルト支持体４０の第１基準点Ｒ１と図柄表示部材９の第２基準点Ｒ２とが一致するように図柄表示部材９を駆動プーリ４と従動プーリ８とに滑止め係合して組み立てる。
【００４８】
次に電気的な手段により基準位置を確認して組み立てる方法について説明する。電気的な手段により基準位置を確認する場合、駆動モータ１０を位置検出機構の出力信号で停止する、後述する表示体制御手段を備え、該表示体制御手段により回転図柄表示体３０を回転、停止する。まず、前記表示体制御手段により駆動モータ１０、即ち回転図柄表示体３を回転する。該モータ１０の回転により、第２歯車１７と共に回転する位置決め機構部１８の前記被検出部１８２が回転され、位置検出手段１９によりその位置が検出されるとその信号は表示体制御手段に送られ、該表示体制御手段は、かかる位置で駆動モータ１０、即ち回転図柄表示体３を停止する。この状態で図柄ベルト支持体４０の第１基準点Ｒ１と図柄表示部材９の第２基準点Ｒ２とが一致するように図柄表示部材９を駆動プーリ４と従動プーリ８とに滑止め係合して組み立てる。
【００４９】
複数の回転図柄表示体３がある場合には、前記表示体制御手段は、複数の回転図柄表示体３の出力をそれぞれ検出すると共に、それぞれの信号により複数の回転図柄表示体３をそれぞれ停止し、前記同様にして図柄ベルト支持体４０の第１基準点Ｒ１と図柄表示部材９の第２基準点Ｒ２とが一致するように図柄表示部材９を駆動プーリ４と従動プーリ８とに滑止め係合して組み立てる。
【００５０】
以下、回転式図柄可変表示装置１の図柄表示部材９の位置ずれの調整方法について説明する。なお、回転式図柄可変表示装置１は、前記図２乃至図８の構成とし、前記（１）及び（２）の組立方法によってそれぞれ組み立てられているものとする。前記構成において、図柄表示部材９が当初定められた基準位置にあるかを確認し、該基準位置にない場合、図柄表示部材９のずれを以下のようにして調整する。まず、駆動モータ１０により回転図柄表示体３を回転する。該モータ１０の回転により、第２歯車１７と共に回転する位置決め機構部１８の前記被検出部１８２が回転され、位置検出手段１９によりその位置が検出されると、その信号は前記表示体制御手段に送られ、該表示体制御手段は、かかる位置で駆動モータ１０、即ち回転図柄表示体３を停止する。この状態で図柄ベルト支持体４０の第１基準点Ｒ１と図柄表示部材９の第２基準点Ｒ２とが一致した位置に停止されていない時、図柄表示部材９のずれを以下のようにして調整する。まず、支持基板１２に設けられた回転軸１７２（図４参照。）に回転可能に固定されている回転軸１７２のネジ２１０を弛める。次に、位置決め機構部１８の鍔部１８２を第２歯車１７に設けられた係合溝１７３から外し、位置決め機構部１８を回転移動する。その位置で回転軸１７２のネジ２１０を締めて位置決め機構部１８と第２歯車１７とを固定して、係合溝１７３と鍔部１８２とを係合固定する。
【００５１】
かかる位置決め機構部１８の回転移動の量と回転方向は、以下のようにして決定する。即ち、回転移動の量は、鍔部１８２が移動して係合固定される係合溝１７３の数は、前記第１基準点Ｒ１と第２基準点Ｒ２との間にある、図柄表示部材９に形成された滑止め係合部９ｂの数と等しい。また、回転移動する方向は、以下のようにして決定する。例えば、図６に示すように、図柄表示部材９の第２基準点Ｒ２が第１基準点Ｒ１を通りすぎた回転方向の符号ロで示す位置にずれた場合、被検出部１８２の位置も位置検出手段１９を通りすぎた回転方向の符号ハで示す位置にずれていなければならない。同様に、図柄表示部材９の第２基準点Ｒ２が第１基準点Ｒ１の手前の符号イで示す位置にずれた場合、被検出部１８２の位置も位置検出手段１９の手前の符号ニで示す位置にずれていなければならない。一方、位置検出手段１９により被検出部１８２の位置が検出され、停止しているので、被検出部１８２の位置と位置検出手段１９の位置とは一致している。従って、第２基準点Ｒ２が第１基準点Ｒ１を通りすぎた回転方向の符号ロで示す位置にずれた場合、位置決め機構部１８を位置検出手段１９を通りすぎた回転方向の符号ハで示す方向に回転移動する。同様に、第２基準点Ｒ２が第１基準点Ｒ１の手前の符号イで示す位置にずれた場合、位置決め機構部１８を位置検出手段１９の手前の符号ニで示す方向に回転移動する。
【００５２】
前記第１基準点Ｒ１と第２基準点Ｒ２との間にある図柄表示部材９に形成された滑止め係合部９ｂの数だけ、位置決め機構部１８を前述した方向に回転移動することにより、次に回転図柄表示体３が回転され、位置検出手段１９により前記被検出部１８２の位置が検出された時には、図柄表示部材９は、第１基準点Ｒ１と第２基準点Ｒ２とが一致した位置で駆動プーリ４と従動プーリ８とに滑止め係合されている。このように、位置決め機構部１８を回転移動するだけで図柄表示部材９を駆動プーリ４と従動プーリ８とから外すことなく図柄表示部材９のずれを調整できる。なお、複数の回転図柄表示体３がある場合には、前記表示体制御手段は、複数の回転図柄表示体３の出力をそれぞれ検出すると共に、それぞれの信号により複数の回転図柄表示体３をそれぞれ停止し、前記同様にして、複数の回転図柄表示体３それぞれについて図柄表示部材９のずれを調整する。
【００５３】
前記表示体制御手段は、図１に示したスロットマシン５０の図示していない装置制御部に、遊技プログラム及び保守プログラムの一部として備えられている。前記装置制御部内の図示していないＲＯＭ、ＲＡＭには、主制御部によって実行される遊技プログラムが格納されている。また、主制御部によって実行されるプログラムには、前記遊技プログラム以外に、前記回転式図柄可変表示装置１を組立、調整するための保守プログラムがＲＯＭに格納されている。
【００５４】
装置制御部は、主制御部に接続される入力ポートと出力ポートを備えている。入力ポートには、複数の回転式図柄可変表示装置１それぞれに備えられている前記位置検出手段１９の出力が、それぞれ接続されている。入力ポートには、図１に示した、遊技開始スイッチ装置５８、複数の図柄停止スイッチ装置５９、球投入スイッチ装置６１、球抜スイッチ装置６２等のスイッチ類が接続されている。なお、その他、遊技に必要な他のスイッチ、表示装置、その他の周知の機器は、図示していない入力ポートと出力ポートにそれぞれ接続されている。出力ポートには、複数の回転式図柄可変表示装置１それぞれに備えられている回転図柄表示体３のモータ１０が、それぞれ接続されている。
【００５５】
前記回転式図柄可変表示装置１を組立、調整するための保守プログラムは、複数の回転式図柄可変表示装置１それぞれに備えられている位置検出手段１９の出力により、主制御部が回転図柄表示体３のモータ１０それぞれを停止する制御信号（プログラムの実行結果）を発するプログラム（表示体制御手段）を有する。該プログラムを用いて位置検出手段１９それぞれの信号から該当する回転式図柄可変表示装置１のモータ１０を停止することにより、該当する回転式図柄可変表示装置１の第１基準点Ｒ１と第２基準点Ｒ２とが一致した位置で停止できる。その結果、前記回転式図柄可変表示装置１の図柄表示部材９の調整と組立が可能になる。
【００５６】
また、遊技プログラムは、遊技における回転図柄表示体３の基準位置（図柄表示部材９の基準位置Ｒ２）を決定する制御信号（プログラムの実行結果）を発するプログラム（基準位置制御手段）を有する。該遊技プログラムは、前記表示体制御手段からの制御信号（プログラムの実行結果）により遊技に必要な停止図柄を決定するための基準となる制御信号を発するプログラムであり、以下のように作動する。前記基準位置制御手段となるプログラムを含む遊技プログラムによって実行されるパロット５０は、遊技球が上皿装置５７に入れられた状態において、遊技者が球投入スイッチ装置６１を１回押すと５個の球が、２回押すと１０個の球が、３回押すと１５個の球が、上皿装置５７の球投入口６６よりスロットマシン５０の内部に投入される。そして遊技者が遊技開始スイッチ装置５８を操作すると、遊技開始スイッチ装置５８からの入力信号により装置制御部がモータ１０を回転駆動する。すると、図柄表示機構５６の３列における図２の図柄ベルト９に描かれた図柄９ａが上から下へ可変する。この状態で、遊技者は、図柄視認領域２１を介して図柄ベルト９の可変する図柄９ａをドラムタイプのように見ることができる。
【００５７】
遊技者が、例えば、左側の図柄停止スイッチ装置５９を押すと図柄表示機構５６の左側の図柄９ａが停止し、真中の図柄停止スイッチ装置５９を押すと図柄表示機構５６の真中の図柄９ａが停止し、右側の図柄停止スイッチ装置５９を押すと図柄表示機構５６の右側の図柄９ａが停止する。かかる図柄の停止制御は、前記基準位置制御手段によりなされる。つまり、主制御部は、前記表示体制御手段の実行により、遊技者が図柄停止スイッチ装置５９を押すことで入力される図柄停止スイッチ装置５９からの入力信号を得ると位置検出器１９の出力の検知を行う。
【００５８】
前記表示体制御手段は、位置検出器１９の出力信号を検知すると、該信号は、前記回転図柄表示体３の基準位置Ｒ２（図柄位置）に同期しているので、かかる信号によりそれぞれのモータ１０を以下のように停止制御する。即ち、前記基準位置制御手段により停止されるモータ１０は、前記順序であり、この遊技者が図柄停止スイッチ装置５９を押す順序はどれを先に押しても良い。押された図柄停止スイッチ装置５９に対応する図柄表示機構５６の図柄９ａは、前記回転図柄表示体３の基準位置Ｒ２（図柄位置）に対して予め定められた位置にあるので、位置検出器１９の出力信号に同期した位置で停止する。これらの停止した図柄９ａが予め設定された小当り、中当り、大当り等の図柄組合せで揃うと、それぞれの当りに応じた賞球がスロットマシン５０より上皿球受入口６７を経由して上皿装置５７に払出される。これ以上の遊技動作は本発明の趣旨より逸脱するので、説明を省略する。なお、回転式図柄可変表示装置１はスロットマシン５０以外の遊技機にも使用できることは勿論である。なお、前記第２歯車の前記第１歯車に対するギア比は、前記第１歯車より大きいギア比を有すると共に、整数値でないものとして説明したが、前記第２歯車の前記第１歯車に対するギア比が整数値Ｋの場合にも適用できることはいうまでもない。
【図面の簡単な説明】
【００５９】
【図１】本発明の実施形態における図柄可変表示装置を用いたスロットマシンを示す斜視図である。
【図２】本発明の実施形態における図柄可変表示装置を示す正面図である。
【図３】本発明の実施形態における駆動円形リング体と図柄表示部材との関係を説明する図である。
【図４】本発明の実施形態における駆動円形リング体の斜視図である。
【図５】本発明の実施形態における駆動円形リング体の分解図である。
【図６】本発明の実施形態における図柄ベルトの位置ずれを説明する図である。
【図７】本発明の実施形態における第２歯車を示す正面図（ａ）とＡ−Ａ断面図（ｂ）である。
【図８】本発明の実施形態における位置決め機構部を示す正面図（ａ）と側面図（ｂ）である。
【図９】従来の実施形態における図柄可変表示装置を示す縦断面図である。
【符号の説明】
【００６０】
１  回転式図柄可変表示装置
２  装置本体
３  回転図柄表示体
４  駆動プーリ
５  アーム
６  リム
７  係合部
８  従動プーリ
９  図柄ベルト
１０  駆動モータ
１６  第１歯車１６
１７  第２歯車
１８  位置決め機構部
１９  位置検出手段
１７３  係合溝
１８２  被検出部
１８４  鍔部
【図１】
2005118426.tif 000003
【図２】
2005118426.tif 000004
【図３】
2005118426.tif 000005
【図４】
2005118426.tif 000006
【図５】
2005118426.tif 000007
【図６】
2005118426.tif 000008
【図７】
2005118426.tif 000009
【図８】
2005118426.tif 000010
【図９】
2005118426.tif 000011